(57)【要約】【課題】洗浄された哺乳瓶の水切り、それ自身の水切り、及び、特に哺乳瓶の水切り状態での持ち運びに便利な哺乳瓶用水切り具を提供する。【解決手段】受け皿１１の底板部表面に夫々設けられ、哺乳瓶の哺乳容器Ｂ及び乳首Ｎを夫々を水切りする棒状の容器水切り部２１〜２３及び半楕円形状の乳首水切り部２４と、受け皿１１自身の水切りのために受け皿１１の周縁部に設けられた縦置き脚部１３，１３，…と、受け皿１１の底板部中央部に形成された指挿入部１４とを備える。容器水切り部２１〜２３及び乳首水切り部２４は哺乳容器Ｂ及び乳首Ｎを傷つけずに水切りし、縦置き脚部１３，１３，…を床上に載置して哺乳瓶用水切り具１を縦置きして水切りし、指挿入部１４及び受け皿１１の側板部上部に指を置いて哺乳瓶用水切り具１を持ち運ぶことができる。【選択図】図４
2007275463.tif 000002
【特許請求の範囲】
【請求項１】
洗浄された哺乳瓶の哺乳容器及び乳首の水切りを行なうための哺乳瓶用水切り具であって、
水切りされた水を受ける受け皿と、
天地逆転された前記哺乳容器が被せられるために前記受け皿の底板部表面に設けられた棒状の容器水切り部と、
前記乳首が被せられるために前記受け皿の底板部表面に設けられており、前記乳首の内部形状に応じた弧状部分を有する乳首水切り部と、
前記受け皿を縦置きにするために、前記受け皿の周縁部に設けられた脚部と、
前記受け皿の底板部裏面中央部に凹設された指挿入部と
を備えることを特徴とする哺乳瓶用水切り具。
【請求項２】
前記容器水切り部は複数本であり、
該容器水切り部を複数本連動して、前記受け皿の底板部に対して起立及び横転することが可能な連動機構と、
前記容器水切り部が起立した状態で前記連動機構をロックするロック部と
を備えることを特徴とする請求項１に記載の哺乳瓶用水切り具。
【発明の詳細な説明】
【技術分野】
【０００１】
本発明は、洗浄された哺乳瓶の水切りを行なうための哺乳瓶用水切り具に関する。
【背景技術】
【０００２】
洗浄した哺乳瓶の哺乳容器を乾燥させるために、収容室に哺乳容器を倒立させて収容し、加熱した空気を収容室内へ吹き込む乾燥機が提案されている（特許文献１参照）。
しかしながら、このような乾燥機は哺乳瓶の強制乾燥手段を備えるため大型であり、強制乾燥手段の駆動源、広い設置場所等を必要とし、また、携帯が困難である。
【０００３】
一方、洗浄した哺乳瓶の哺乳容器を天地逆転させた状態で水切りするために、哺乳容器の底部に取り付けるハンガーが提案されており、このハンガーは、哺乳容器を逆さに吊り下げた状態で保持し、狭いスペース、外出先等で哺乳容器を自然乾燥させることができる（特許文献２参照）。
しかしながら、このようなハンガーは、哺乳容器の底部にハンガー取り付け用の凹部を必要とする。また、ハンガーを吊り下げるためのフック、物干し竿等を別途必要とし、更に、哺乳容器から落下する水滴が卓上、床面等を濡らさないよう水滴の受け皿を別途準備するか、濡れても構わない場所の上で哺乳容器を吊り下げる必要がある。
【０００４】
以上のようなことから、携帯が容易な受け皿の底部内面上で哺乳容器を倒立させて水切りを行なう哺乳瓶用水切り具が考えられる。
このような哺乳瓶用水切り具は、倒立させた哺乳容器が転倒しないよう保持するために、例えば水切り棒を受け皿の底部内面に立設し、この水切り棒に、哺乳容器が被せられる。
【０００５】
このため、哺乳瓶用水切り具は、哺乳容器の形状を問わず、しかも哺乳瓶用水切り具以外の用具なしに、哺乳容器を天地逆転させて効率よく水切りし、自然乾燥させることができる。また、哺乳瓶の乳首を、水切り棒の先端に係止して効率よく水切りし、自然乾燥させることができる。
更に、哺乳容器及び乳首から落下する水滴は受け皿が受け止めるため、水切りを行なう場所が制限されない。
【特許文献１】特許第３６９６４６１号公報
【特許文献２】特開２００４−１８１１７０号公報
【発明の開示】
【発明が解決しようとする課題】
【０００６】
しかしながら、哺乳瓶の乳首は、一般に柔軟な合成ゴム、シリコン等を用いてなるため、水切り棒に係止することによって乳首の柔軟な部分が損傷する可能性がある。
また、哺乳瓶を水切りした後で、水滴を受けた受け皿を効率よく水切りするために、受け皿を適宜の壁面に立て掛けて干すことがあり、このため哺乳瓶用水切り具自身の水切り場所が制限される。
【０００７】
ところで、哺乳瓶用水切り具の受け皿は、複数の哺乳瓶を同時的に水切りすることが可能なように、適宜に広い面積を有することが望ましい。
水切りのために哺乳瓶が干してある状態の哺乳瓶用水切り具を持ち運ぶ場合、哺乳瓶の脱離を防ぐためには受け皿を略水平に保持する必要がある。しかしながら、特に女性のように手が小さいユーザにとっては、哺乳瓶用水切り具を片手で保持する場合はバランスを崩し易く、両手で保持する場合は哺乳瓶用水切り具と同時的に他の物品を持ち運び難いという問題がある。
【０００８】
本発明は斯かる事情に鑑みてなされたものであり、その主たる目的は、哺乳瓶の哺乳容器及び乳首を夫々を水切りする容器水切り部及び乳首水切り部と、受け皿の周縁部に設けられた脚部と、受け皿の底板部中央部に形成された指挿入部とを備えることにより、洗浄された哺乳瓶の水切り、自身の水切り、及び、特に哺乳瓶の水切り状態での持ち運びに便利な哺乳瓶用水切り具を提供することにある。
【０００９】
本発明の他の目的は、複数本の容器水切り部が連動して、受け皿に対して起立及び横転し、起立状態でロックされる構成とすることにより、洗浄された哺乳瓶の水切りを阻害することなくコンパクトに携帯又は収納することができる哺乳瓶用水切り具を提供することにある。
【課題を解決するための手段】
【００１０】
第１発明に係る哺乳瓶用水切り具は、洗浄された哺乳瓶の哺乳容器及び乳首の水切りを行なうための哺乳瓶用水切り具であって、水切りされた水を受ける受け皿と、天地逆転された前記哺乳容器が被せられるために前記受け皿の底板部表面に設けられた棒状の容器水切り部と、前記乳首が被せられるために前記受け皿の底板部表面に設けられており、前記乳首の内部形状に応じた弧状部分を有する乳首水切り部と、前記受け皿を縦置きにするために、前記受け皿の周縁部に設けられた脚部と、前記受け皿の底板部裏面中央部に凹設された指挿入部とを備えることを特徴とする。
【００１１】
第２発明に係る哺乳瓶用水切り具は、前記容器水切り部は複数本であり、該容器水切り部を複数本連動して、前記受け皿の底板部に対して起立及び横転することが可能な連動機構と、前記容器水切り部が起立した状態で前記連動機構をロックするロック部とを備えることを特徴とする。
【発明の効果】
【００１２】
第１発明の哺乳瓶用水切り具による場合、洗浄された哺乳瓶の水切りを行なうために、哺乳瓶の哺乳容器を水切りするための容器水切り部と、哺乳瓶の乳首を水切りするための乳首水切り部とが、夫々受け皿の底板部表面に設けられている。
【００１３】
容器水切り部は棒状である。容器水切り部に哺乳容器が被せられることによって、哺乳容器は天地逆転した状態で保持される。このため、哺乳容器外面及び内部の水切りを効率よく行なうことができる。また、容器水切り部は単純な棒状であるため哺乳容器の形状を問わず哺乳容器内部に挿入することができる。
乳首水切り部は乳首の内部形状に応じた弧状部分を有する。一般にドーム状である乳首を乳首水切り部に被せることによって乳首が保持され、乳首の水切りを効率よく行なうことができる。また、乳首水切り部は弧状部分を有するため、柔軟な合成ゴム、シリコン等を用いてなる乳首を損傷することが抑制される。
【００１４】
また、容器水切り部及び乳首水切り部による水切りは、哺乳瓶用水切り具以外の用具（フック、物干し竿等）を必要としない。
ところで、容器水切り部及び乳首水切り部にて哺乳瓶が水切りされて生じる水は、受け皿が受け止める。このため、哺乳瓶の水切りを行なう場所が制限されない。
このようにして濡れた受け皿は、哺乳瓶の水切り終了後、受け皿の周縁部に設けられた脚部を卓上、床上等に設置することによって受け皿を縦置きにして、水切り場所を制限されることなく効率よく水切りすることができる。
【００１５】
更に、受け皿の底板部裏面中央部に、指挿入部が凹設されている。哺乳瓶用水切り具のユーザは、例えば受け皿の周縁部と、底板部中央部の指挿入部とに片手の指を夫々置く。指挿入部は受け皿の底板部中央部の外側から内側へ形成された凹状であるため、このような受け皿をユーザが保持する場合、指挿入部が形成されていない受け皿よりも、受け皿を片手で確実に保持することができる。
【００１６】
この結果、哺乳瓶用水切り具の受け皿を、複数の哺乳瓶を同時的に水切りすることが可能なように適宜に広い面積に形成することができる。また、水切りのために哺乳瓶が干してある状態の哺乳瓶用水切り具を容易に略水平に保持して、哺乳瓶の脱離を防ぎつつ持ち運ぶことができる。しかも片手で保持することが可能であるため、哺乳瓶用水切り具と他の物品と容易に同時的に持ち運ぶことができる。
【００１７】
以上のような哺乳瓶用水切り具は、哺乳瓶の強制乾燥手段を備えないため携帯が容易なサイズに形成することが可能であり、強制乾燥手段の駆動源を必要とせず、狭いスペース、外出先等で容易に使用することができ、また、狭いスペースに収納することができる。
また、効率のよい水切りによって、哺乳瓶若しくは哺乳瓶用水切り具自身の自然乾燥又は乾燥機による強制乾燥を促進することができる。
【００１８】
第２発明の哺乳瓶用水切り具による場合、連動機構によって、複数本の容器水切り部を連動させて受け皿の底板部に対して起立させ、又は横転させることが可能となる。つまり、一度の操作で複数本が同時的に起立又は横転するため、ユーザの利便性が向上されている。
【００１９】
ユーザは、哺乳瓶の水切りを行なう場合は容器水切り部を起立させて使用する。この場合、ロック部が、容器水切り部が起立した状態で連動機構をロックするため、容器水切り部が不要に横転して哺乳瓶が脱離することが抑制される。つまり、容器水切り部が可動式であっても哺乳瓶の水切りを阻害しない。
また、連動機構をロックするロック部を備えるため、例えば容器水切り部が起立した状態を連動機構の摩擦によって停止させる必要がない。つまり連動機構の摩擦力を低減することが可能であり、容器水切り部が円滑に動く。
【００２０】
更に、ユーザは、哺乳瓶の水切りを行なわない場合は容器水切り部を横転させる。この場合、棒状の容器水切り部が受け皿の底板部に沿って配されるため、容器水切り部が起立したままである状態よりも哺乳瓶用水切り具をコンパクトにすることができ、哺乳瓶用水切り具の携帯及び収納を更に容易にすることができる。
【発明を実施するための最良の形態】
【００２１】
以下、本発明を、その実施の形態を示す図面に基づいて詳述する。
【００２２】
図１は、本発明に係る哺乳瓶用水切り具１の構成を示す平面図である。
図２及び図３夫々は、図１におけるII−II線及びIII −III 線夫々の断面図であり、哺乳瓶用水切り具１が備える６本の棒状の容器水切り部２１，２１，２２，２２，２３，２３（以下、容器水切り部２１〜２３という）を横転させた状態を示す横断面図及び縦断面図である。
図４は、容器水切り部２１〜２３を起立させた状態を示す縦断面図である。
図５は、哺乳瓶用水切り具１が備える連動機構４及びロック部３の動作を示す拡大縦断面図であり、図５（ａ）は図３に対応し、図５（ｂ）は図４に対応する。
更に、図６は、哺乳瓶用水切り具１を縦置きにした状態を示す正面図である。
【００２３】
哺乳瓶用水切り具１は合成樹脂を用いてなり、図４に示すように、洗浄された哺乳瓶の哺乳容器Ｂ、乳首Ｎ、及び哺乳瓶を使用しない場合に乳首Ｎに被せる図示しない哺乳瓶キャップの水切りを行なう。
このような哺乳瓶用水切り具１は、図１〜図４に示すように、洗浄された哺乳瓶から滴り落ちた水滴を受ける受け皿１１を備える。受け皿１１は、平面視矩形状の底板部と、底板部の周縁に立設する４枚の側板部（即ち受け皿１１の周縁部）とを有し、受け皿１１の四隅には、ユーザが摘持するための略半円形平板状の摘持部１５，１５，…が受け皿１１側板部上部に一体に形成されている。
【００２４】
受け皿１１側板部外側には、受け皿１１を縦置きにする場合に脚部として用いる平板状の縦置き脚部１２，１２，…及び縦置き脚部１３，１３，…が突設されている。
具体的には、短手方向の受け皿１１両側板部には夫々４枚の縦置き脚部１２，１２，…が長手方向に適長離隔して突設されており、長手方向の受け皿１１両側板部には夫々一対の縦置き脚部１３，１３，…が短手方向に適長離隔して突設されている。
【００２５】
図６に示すように、縦置き脚部１２，１２，…（又は縦置き脚部１３，１３，…）を床Ｇに載置することによって、受け皿１１、延いては哺乳瓶用水切り具１がバランスよく縦置きされる。本実施の形態においては、摘持部１５，１５，…も哺乳瓶用水切り具１の縦置き状態を維持することに寄与する。
【００２６】
図２〜図４に示されるように、受け皿１１の底板部裏側中央部には、指挿入部１４が凹設されている。指挿入部１４は半球状であり、このため受け皿１１の底板部表面にはドーム状の盛り上がり部分が存在する。
図２及び図３に示すように、ユーザが片手Ｈで哺乳瓶用水切り具１を保持する場合、片手Ｈの親指が受け皿１１の側板部上部に置かれ、人差指、中指等が指挿入部１４内に置かれる。つまり、哺乳瓶用水切り具１は受け皿１１の側板部の一部と底板部中央部とが片手Ｈによって確実に支持される。
【００２７】
更に、図２〜図４に示されるように、受け皿１１の底板部裏面には、受け皿１１を平置きにする場合に脚部として用いる４個の平置き脚部１６，１６，…が互いに適長離隔して突設されている。このため、哺乳瓶用水切り具１が床Ｇに平置きされた場合、平置き脚部１６，１６，…がスペーサとして機能し、受け皿１１の底板部裏面と床Ｇとの間に空隙が設けられる。
【００２８】
さて、６個の哺乳容器Ｂ，Ｂ，…と、各２個の乳首Ｎ，Ｎ及び哺乳瓶キャップとを同時に保持して水切りすることが可能なように、受け皿１１の底板部表面には、図１〜図４に示すように、最も長い容器水切り部２１，２１、最も短い容器水切り部２３，２３、及び容器水切り部２１と容器水切り部２３との中間の長さの容器水切り部２２，２２、乳首水切り部２４，２４並びにキャップ水切り部２５，２５が設けられている。
【００２９】
キャップ水切り部２５、乳首水切り部２４，２４及びキャップ水切り部２５は、この順に短手方向に適長離隔配置されて、受け皿１１の長手方向一側の底板部表面に突設されている。ただし、乳首水切り部２４，２４及びキャップ水切り部２５，２５は、後述するように容器水切り部２１〜２３が横転した場合に容器水切り部２１〜２３に当接しない位置に配されている。
【００３０】
各乳首水切り部２４は、ドーム状である乳首Ｎの形状に対応する形状、具体的には略楕円形平板状であり、乳首Ｎの内部形状に応じた弧状部分２４ａ，２４ａが上側に、直線状の部分が下側になるよう受け皿１１に突設されている。乳首水切り部２４の上部中央にはＶ字状の凹部が設けられており、乳首水切り部２４の意匠性を向上させると共に、乳首水切り部２４が乳首Ｎに接触する面積を減らして乳首Ｎ及び乳首水切り部２４が容易に乾燥するようにしている。
【００３１】
図４に示すように、乳首水切り部２４に乳首Ｎが上側から被せられることによって、乳首水切り部２４は乳首Ｎを保持する。乳首水切り部２４のサイズは、乳首水切り部２４に保持された乳首Ｎの下部が受け皿１１に当接しないサイズが望ましい。
仮に、乳首水切り部２４が小さすぎる場合、乳首水切り部２４に保持された乳首Ｎの下部が受け皿１１に当接する。このため、受け皿１１が受けた水滴が再び乳首Ｎに付着し、乳首Ｎの水切りを阻害することがあり、また、乳首Ｎの内側の乾燥に長時間を要することがある。
【００３２】
このような乳首水切り部２４は乳首Ｎに接触する部分が弧状部分２４ａ，２４ａであるため、乳首水切り部２４との当接によって乳首Ｎ、特に乳首Ｎの合成ゴム、シリコン等で形成された柔軟な部分が損傷することが抑制されている。
【００３３】
図１〜図４に示すように、各キャップ水切り部２５は、平面視Ｕ字状の突設板状である。キャップ水切り部２５に哺乳瓶キャップが上側から被せられることによって、キャップ水切り部２５は哺乳瓶キャップを保持する。
キャップ水切り部２５の端部は弧状に形成されているため、キャップ水切り部２５との当接によって哺乳瓶キャップが損傷することが抑制されている。
【００３４】
次に、容器水切り部２１〜２３について説明する。
容器水切り部２１〜２３夫々は受け皿１１底板部表面に設けられており、図１〜図３に示すように横転し、また、図４に示すように起立した状態で用いられる。
哺乳容器Ｂの水切りを効率よく行なう場合、ユーザは哺乳容器Ｂを天地逆転させた状態で干す。このために、例えば容器水切り部２１に、天地逆転された哺乳容器Ｂを被せることによって、容器水切り部２１は哺乳容器Ｂを保持する。
【００３５】
図１〜図４に示すように、容器水切り部２１〜２３は夫々単純な棒状であるため哺乳容器Ｂの形状を問わず哺乳容器Ｂ内部に挿入することが可能である。また、容器水切り部２１〜２３は夫々先端部が弧状に形成されており、容器水切り部２１〜２３夫々との当接によって哺乳容器Ｂが損傷することが抑制されている。
【００３６】
容器水切り部２１〜２３夫々の長さ（図４における起立時の高さ）は、哺乳容器Ｂの深さよりも大きいことが望ましい。
仮に、容器水切り部２１〜２３夫々が短すぎる（低すぎる）場合、容器水切り部２１〜２３夫々に保持された哺乳容器Ｂの下部が受け皿１１に当接する。このため、受け皿１１が受けた水滴が再び哺乳容器Ｂに付着し、哺乳容器Ｂの水切りを阻害することがあり、また、哺乳容器Ｂの内側の乾燥に長時間を要することがある。
【００３７】
本実施の形態においては、長短３種類の容器水切り部２１〜２３を設けることによって、ユーザが、哺乳容器Ｂの深さに応じた容器水切り部２１〜２３に哺乳容器Ｂを干すことができるようにしてある。
【００３８】
なお、乳首Ｎ又は哺乳瓶キャップが、他の物体との当接によっても損傷し難い材質である場合、ユーザは、容器水切り部２１〜２３に乳首Ｎ又は哺乳瓶キャップを被せて干してもよい。
【００３９】
さて、図１〜図５に示すように、容器水切り部２１〜２３夫々の基端は、連動機構４に連結されており、６本の容器水切り部２１〜２３を全て連動して、受け皿１１の底板部に対して起立及び横転することが可能なように構成してある。
また、連動機構４には、容器水切り部２１〜２３を起立させた状態で連動機構４をロックするロック部３，３が設けられている。
なお、容器水切り部２１〜２３の内の６本全部ではなく、一部（２本〜５本）を連動する構成でもよい。
【００４０】
ユーザは、哺乳容器Ｂ、乳首Ｎ及び哺乳瓶キャップ（以下、哺乳瓶の各部という）の水切りを行なう場合は、図４に示すように、容器水切り部２１〜２３を起立させて使用する。この場合、ロック部３，３が、容器水切り部２１〜２３が起立した状態で連動機構４をロックするため、容器水切り部２１〜２３が不要に横転することが抑制される。
また、ロック部３，３が連動機構４をロックするため、例えば容器水切り部２１〜２３が起立した状態を連動機構４の摩擦力によって停止させる必要がない。このため、連動機構４の摩擦力を低減させて、容器水切り部２１〜２３が円滑に動くようにしてある。
【００４１】
ユーザは、哺乳瓶の各部の水切りを行なわない場合は、図１〜図３に示すように、容器水切り部２１〜２３を横転させる。この場合、容器水切り部２１〜２３が受け皿１１の底板部に沿って配される。つまり、容器水切り部２１〜２３が受け皿１１内に収納されるため、容器水切り部２１〜２３が起立したままである状態よりも哺乳瓶用水切り具１がコンパクトになる。
【００４２】
以下、ロック部３，３及び連動機構４の具体的な構成を詳述する。
図１〜図５に示すように、受け皿１１内には、受け皿１１の短手方向に沿う円柱状の第１連結軸４１，４２，４３が、受け皿１１の長手方向にこの順に一側から他側へ適長離隔されて配置されている。第１連結軸４１，４２，４３は容器水切り部２１〜２３に連結される連結軸である。
【００４３】
第１連結軸４１は、受け皿１１の側板部内側に設けられた軸受４１１，４１１に回動可能に支持されている。図１及び図２に示すように、軸受４１１は凹部を有し、この凹部に第１連結軸４１の一端が遊嵌されて、軸受４１１の凹部内で第１連結軸４１が円滑に回動可能にしてある。
図１〜図５に示すように、第１連結軸４１の軸方向中央部には、１本の容器水切り部２３の基端が連結されている。第１連結軸４１が軸受４１１，４１１に支持されて回動することによって、容器水切り部２３が起立し、又は横転する。
【００４４】
同様に、第１連結軸４２は軸受４２１，４２１に回動可能に支持されている。また、第１連結軸４２の中途には、軸方向に適長離隔されて、２本の容器水切り部２２，２２の基端が連結されている。第１連結軸４２が回動することによって、容器水切り部２２，２２が起立し、又は横転する。
【００４５】
更に同様に、第１連結軸４３は軸受４３１，４３１に回動可能に支持されている。また、第１連結軸４２の中途には、軸方向に適長離隔されて、３本の容器水切り部２１，２３，２１の基端が、容器水切り部２３の基端が軸方向中央部に配されるように並置して、連結されている。第１連結軸４３が回動することによって、容器水切り部２１，２１，２３が起立し、又は横転する。
ここで、容器水切り部２１〜２３夫々の第１連結軸４１，４２，４３に対する連結位置は、容器水切り部２１〜２３が横転した場合に、互いに重ならない位置である。
【００４６】
更に、受け皿１１内には、受け皿１１の長手方向に沿う円柱状の第２連結軸５が、受け皿１１の短手方向一側に配置されている。第２連結軸５は第１連結軸４１，４２，４３の上側に配されて第１連結軸４１，４２，４３を連結する連結軸である。
【００４７】
第２連結軸５の長手方向一側端部はアーム５１を介して第１連結軸４１に連結されている。
アーム５１の一端部は第１連結軸４１に固定されて第１連結軸４１と一体に回動し、アーム５１の他端部と第２連結軸５の長手方向一側端部とは、１本のピン状の回転軸５１１で連結されている（図１）。回転軸５１１の一端部は、アーム５１の他端部に一体形成され、回転軸５１１の他端部は、第２連結軸５の長手方向一側端部に設けられた凹部に嵌合してこの凹部内で回動可能に支持されている。
【００４８】
このため、アーム５１は、第１連結軸４１の回動運動を第２連結軸５に伝達して、第２連結軸５を受け皿１１長手方向に直線往復運動させる。逆に、アーム５１は、第２連結軸５の直線往復運動を第１連結軸４１に伝達して、第１連結軸４１を回動運動させる。
【００４９】
同様に、第２連結軸５の長手方向中央部はアーム５２を介して第１連結軸４２に連結されている。また、第２連結軸５の長手方向他側端部はアーム５３を介して第１連結軸４３に連結されている。
このため、アーム５２，５３は、第１連結軸４２，４３の回動運動を第２連結軸５に伝達して、第２連結軸５を受け皿１１長手方向に直線往復運動させる。逆に、アーム５２，５３は、第２連結軸５の直線往復運動を第１連結軸４２，４３に伝達して、第１連結軸４２，４３を回動運動させる。
【００５０】
ユーザは、容器水切り部２１〜２３の内の１本又は複数本（例えば容器水切り部２１。以下では容器水切り部２１に関して説明する）の先端又は中途を摘持して容器水切り部２１を受け皿１１に対して立たせたり（図４及び図５（ｂ））寝かせたり（図３及び図５（ａ））する。このことによって、容器水切り部２１は基端を中心に回動運動し、この回動運動は第１連結軸４１に伝達して第１連結軸４１を回動運動させる。
【００５１】
第１連結軸４１の回動運動はアーム５１を介して第２連結軸５に伝達し、このため第２連結軸５が受け皿１１長手方向に直線往復運動を行なう。第２連結軸５の直線往復運動はアーム５２，５３を介して第１連結軸４２，４３に伝達し、第１連結軸４２，４３を回動させる。
そして、第１連結軸４１，４２，４３夫々の回動運動は容器水切り部２１〜２３夫々を起立及び横転させる。
このように、連動機構４の作用によって、容器水切り部２１〜２３は連動して起立し、また、横転する。
【００５２】
ロック部３，３は、図１に示すように、第１連結軸４３に対し、軸方向に適長離隔して配されている。
図１及び図３〜図５に示すように、各ロック部３は、第１連結軸４３に固設されている回動部３１と、受け皿１１の底板部表面に突設されている固定部３２とで構成されている。
【００５３】
固定部３２は、平面視略コ字の板状であり、回動部３１の当接によって受け皿１１長手方向に撓むが、上下方向（受け皿１１の底板部に垂直な方向）には変形し難いようにしてある。
回動部３１は、側面視矩形状であり、固定部３２に係止するための爪３１ａが突設されている。
【００５４】
容器水切り部２１を起立させる方向への第１連結軸４３の回動に伴って回動部３１が回動した場合、爪３１ａは固定部３２に当接して固定部３２を撓ませる。爪３１ａが固定部３２の上側に位置した場合、固定部３２の撓みが解除されて、爪３１ａは固定部３２の上部に係止される（図４及び図５（ｂ））。このとき、容器水切り部２１は受け皿１１底板部に対して略垂直に起立する。
爪３１ａが固定部３２の上部に係止された状態では、容器水切り部２１を横転させる方向へ第１連結軸４３が回動した場合でも、爪３１ａが固定部３２に当接して固定部３２の回動、延いては第１連結軸４３が回動が阻止される。
【００５５】
ただし、爪３１ａが固定部３２の上部に係止された状態で、ユーザが更に大きな外力を加えるか、手動で直接的に固定部３２を変形させることによって、固定部３２が撓み、爪３１ａと固定部３２との係止が解除されて、固定部３２及び第１連結軸４３が、容器水切り部２１を横転させる方向へ回動する（図３及び図５（ａ））。
【００５６】
以上のようにして、ロック部３，３が第１連結軸４３の回動を阻止する場合、アーム５１，５２，５３及び第２連結軸５を介して他の第１連結軸４１，４２の回動も阻止される。一方、ロック部３，３が第１連結軸４３の回動を阻止しない場合、第１連結軸４３の回動は勿論、アーム５１，５２，５３及び第２連結軸５を介して他の第１連結軸４１，４２の回動も可能となる。
このように、ロック部３，３の作用によって、連動機構４はロックされ、また、ロックが解除される。
【００５７】
以上のような哺乳瓶用水切り具１は、コンパクトな形状で携帯が容易である。また、哺乳瓶用水切り具１は、天地逆転させた哺乳容器Ｂ、乳首Ｎ及び哺乳瓶キャップ（即ち哺乳瓶の各部）を、受け皿１１の底板部表面に起立している容器水切り部２１〜２３、並びに受け皿１１の底板部表面に突設されている乳首水切り部２４，２４及びキャップ水切り部２５，２５に保持して、効率よく、しかも哺乳瓶の各部を傷つけることなく水切りし、自然乾燥させることができる。
この場合、哺乳瓶用水切り具１以外の用具は不要であり、哺乳瓶の各部は、哺乳瓶用水切り具１に保持することが可能な特殊な形状である必要がない。
【００５８】
また、哺乳容器Ｂを保持する容器水切り部２１〜２３は連動機構４によって連動して受け皿１１に対して起立及び横転し、起立状態でロック部３，３によってロックされる。このため、容器水切り部２１〜２３が可動式であっても、哺乳容器Ｂの水切りを阻害することはない。具体的には、例えば起立している容器水切り部２１〜２３が横転して哺乳容器Ｂが脱離することがない。
【００５９】
しかも、容器水切り部２１〜２３を受け皿１１に対して横転させることで、哺乳瓶用水切り具１は更にコンパクトになり、哺乳瓶用水切り具１の携帯及び収納が更に容易になる。
また、ユーザによる一度の操作で６本の容器水切り部２１〜２３が同時的に起立又は横転するため、ユーザの利便性が向上されている。
【００６０】
更に、洗浄された哺乳瓶の各部から落下する水滴は受け皿１１が受け止め、しかも、強制乾燥手段の駆動源、広い設置場所等を必要としないため、水切りを行なう場所が制限されない。
更にまた、哺乳瓶用水切り具１は、哺乳瓶用水切り具１を食器乾燥機のような強制乾燥装置に収容して、哺乳瓶用水切り具１に保持された哺乳瓶の各部、並びに哺乳瓶用水切り具１自身を強制乾燥させることもできる。
【００６１】
また、縦置き脚部１２，１２，…又は縦置き脚部１３，１３，…を床Ｇに置くことによって哺乳瓶用水切り具１を縦置きして、水滴に触れた各部を効率よく水切りし、自然乾燥させることができるため、例えば哺乳瓶用水切り具１を適宜の壁面に立て掛けて干す必要がない。この結果、哺乳瓶用水切り具１自身の水切り場所が制限されない。また、哺乳瓶用水切り具１を縦置きにしてコンパクトに収納することができる。
更に、平置き脚部１６，１６，…が受け皿１１の底板部裏面と床Ｇとの間に空隙を設けるため、受け皿１１の底板部裏面が濡れた場合でも、受け皿１１を容易に自然乾燥させることができる。
【００６２】
更にまた、哺乳瓶用水切り具１のユーザは、例えば受け皿１１の側板部上部と指挿入部１４とに片手Ｈの指を夫々置くことによって、特に女性のように手が小さいユーザでも、受け皿１１、延いては哺乳瓶用水切り具１を片手Ｈで確実に保持することができる。このため哺乳瓶用水切り具１を略水平に保持することも容易となり、哺乳瓶用水切り具１に哺乳瓶の各部を保持した状態で持ち運ぶことも容易となる。しかも片手Ｈで保持することが可能であるため、もう一方の手で他の物品を持ち運ぶことが容易となる。
【００６３】
また、ユーザは摘持部１５を摘持して持ち運ぶこともでき、指挿入部１４及び摘持部１５に指を置いて持ち運ぶこともできる。つまり、ユーザによる哺乳瓶用水切り具１の持ち運び態様が制限されない。
【００６４】
更に、指挿入部１４が形成してあることによって、受け皿１１を、複数の哺乳瓶を同時的に水切りすることが可能なように適宜に広い面積に形成することができ、持ち運びに便利なように受け皿１１を狭い面積にする必要がない。
なお、容器水切り部２１〜２３の先端を二股、三叉等に形成したり、容器水切り部２１〜２３の中途に枝部を形成したりしてもよい。
【図面の簡単な説明】
【００６５】
【図１】本発明に係る哺乳瓶用水切り具の構成を示す平面図である。
【図２】図１におけるII−II線の断面図である。
【図３】図１におけるIII −III 線の断面図である。
【図４】本発明に係る哺乳瓶用水切り具が備える容器水切り部を起立させた状態を示す縦断面図である。
【図５】本発明に係る哺乳瓶用水切り具が備える連動機構及びロック部の動作を示す拡大縦断面図である。
【図６】本発明に係る哺乳瓶用水切り具を縦置きにした状態を示す正面図である。
【符号の説明】
【００６６】
１    哺乳瓶用水切り具
１１  受け皿
１２，１３  縦置き脚部（脚部）
１４  指挿入部
２１，２２，２３  容器水切り部
２４  乳首水切り部
２４ａ  弧状部分
３    ロック部
４    連動機構
Ｂ    哺乳容器
Ｎ    乳首
Ｈ    片手
【図１】
2007275463.tif 000003
【図２】
2007275463.tif 000004
【図３】
2007275463.tif 000005
【図４】
2007275463.tif 000006
【図５】
2007275463.tif 000007
【図６】
2007275463.tif 000008